(57)【特許請求の範囲】
【請求項１】
鋼板を折曲加工し、該鋼板の一方の面側に所定間隔をおいて突出する複数条のリブと、該リブに隣接する各平坦部とを交互に形成させるとともに、最外の平坦部の側縁部を該鋼板の一方の面側に折曲加工して係合部を形成させ、該リブの両端部を潰して該複数の平坦部とともに一対の扁平なエンドクローズ端部を形成させ、該エンドクローズ端部の該各平坦部に釘孔を各一個ずつ列状に設けてなるデッキプレートにおいて、前記釘孔の列の全部又は一部を前記リブと平行な線に対して斜めに交差する線上に設けたことを特徴とするデッキプレート。
【請求項２】
前記エンドクローズ端部上において交差し、かつ前記リブと平行な線に対して斜めに交差する２本の線上に、前記釘孔の列の全部又は一部を各々設けたことを特徴とする請求項１記載のデッキプレート。
【請求項３】
鋼板を折曲加工し、該鋼板の一方の面側に所定間隔をおいて突出する複数条のリブと、該リブに隣接する平坦部とを交互に形成させ、該リブの両端部を潰して該平坦部とともに一対の扁平なエンドクローズ端部を形成させ、該エンドクローズ端部の該各平坦部に釘孔を各一個ずつ列状に設け、最外の平坦部に該平坦部の側縁に沿って複数個の釘孔を列状に設けてなる役物デッキプレートにおいて、前記最外の平坦部の釘孔の列の全部又は一部を前記リブと平行な線に対して斜めに交差する線上に設けたことを特徴とする役物デッキプレート。
【請求項４】
前記最外の平坦部において交差し、かつ前記リブと平行な線に対して斜めに交差する２本の線上に、前記釘孔の列の全部又は一部を各々設けたことを特徴とする請求項３記載の役物デッキプレート。
【請求項５】
前記エンドクローズ端部の釘孔の列の全部又は一部を前記リブと平行な線に対して斜めに交差する線上に設けたことを特徴とする請求項３又は４記載の役物デッキプレート。
【請求項６】
前記エンドクローズ端部上において交差し、かつ前記リブと平行な線に対して斜めに交差する２本の線上に、前記釘孔の列の全部又は一部を各々設けたことを特徴とする請求項３又は４記載の役物デッキプレート。
【請求項７】
前記エンドクローズ端部の前記各平坦部に前記釘孔を各一個ずつ設けてなることを特徴とする請求項３〜６のいずれかに記載の役物デッキプレート。
【請求項８】
平坦な鋼板からなり、一の側縁の近傍部に複数個の釘孔を該側縁に沿って所定間隔をおいて列状に設けてなり、デッキプレートの敷き終わりの部分に用い、全体の敷き込み巾の長さを調整する調整プレートにおいて、該釘孔の列の全部又は一部を該側縁と平行な線に対して斜めに交差する線上に設けたことを特徴とする調整プレート。
【請求項９】
前記一の側縁の近傍部において交差し、かつ前記側縁と平行な線に対して斜めに交差する２本の線上に、前記釘孔の列の全部又は一部を各々設けたことを特徴とする請求項８記載の調整プレート。
【発明の詳細な説明】
【０００１】
【産業上の利用分野】
この発明は床スラブ施工の際の下型枠として使用するデッキプレート、役物デッキプレ
ート及び調整プレートに関するものである。
【０００２】
【従来の技術】
図６は従来のデッキプレートの一例の斜視図、図７は図６のＡ−Ａ矢視断面の端面図、図８は図６のデッキプレートのエンドクローズ端部近傍の部分平面図である。これらの図において、デッキプレート１０は、鋼板を折曲加工して一方の面側（これらの図では下側）に所定間隔をおいて突出形成させた複数条の略平行なリブ１２と、リブ１２と略直角の関係になっている端縁Ｅａ，Ｅｂの近傍のリブ１２の端部を潰して形成させた一対の扁平なエンドクローズ端部１４，１４とを備えている。
【０００３】
ここで、リブ１２とリブ１２の間には平坦部１６ａが形成され、リブ１２と一方の側縁Ｅｃとの間には平坦部１６ｂが形成されている。リブ１２と他方の側縁Ｅｄとの間には狭い平坦部１６ｃが形成されている。平坦部１６ａ，１６ｂには複数本のエンボス１８がリブ１２に対して略直角に形成されている。
【０００４】
リブ１２は、図７に示すように、断面略三角形となっており、頂部は開き留めのためにカシメ連結され、底辺部には水抜きのための孔（図示せず）が形成されている。平坦部１６ｂの側縁Ｅｃは鋼板の一方の面側（同図の下側）に向けて略直角に折り曲げられて係合部２２になっている。係合部２２はエンドクローズ端部１４のところで切り欠かれている。
【０００５】
エンドクローズ端部１４，１４には、図８に示すように、平坦部１６ａ，１６ｂごとに釘孔２０が形成されている。釘孔２０はエンドクローズ端部１４，１４の端縁Ｅａ，Ｅｂと平行な線上、すなわち、リブ１２と平行な線に対して直交する線上に形成されている。
【０００６】
なお、役物デッキプレートは、図示しないが、上述したデッキプレート１０において、最外の平坦部１６ｂの側縁Ｅｃに係合部２２が形成されておらず、平坦なままの状態になっている。その他の構造は上述したデッキプレート１０と全く同じである。また、調整プレートは、図示しないが、平坦な鋼板からなり、一方の側縁部に複数個の釘孔が設けられている。
【０００７】
次に、これらのデッキプレート１０、役物デッキプレート及び調整プレートを現場で敷き込む場合は、例えば、図９に示すように、梁型枠２４を設け、梁型枠２４の敷き込み始めの部分に、まず、役物デッキプレート１０ａを載置する。このとき、役物デッキプレート１０ａのエンドクローズ端部１４，１４及び一方の側縁Ｅｃを梁型枠２４の桟木２４ａの上に載置する。そして、エンドクローズ端部１４，１４及び側縁Ｅｃの釘孔２０に釘２６を打ち込んで固定する。
【０００８】
次に、役物デッキプレート１０ａの隣にデッキプレート１０を順次敷き込む。このときも梁型枠２４の桟木２４ａの上にデッキプレート１０のエンドクローズ端部１４，１４を載置させるようにする。隣り合うデッキプレート１０，１０は一方のデッキプレート１０の係合部２２を他方のデッキプレート１０のリブ１２に上の方から差し込むようにして連結させる。
【０００９】
そして、桟木２４ａに載置されたデッキプレート１０のエンドクローズ端部１４，１４の釘孔２０には釘２６を打ち込んで固定する。なお、敷き終りの部分には単なる鋼板である調整プレート（図示せず）を敷いて、全体の敷き込み巾の長さを調整する。
【００１０】
【発明が解決しようとする課題】
ところで、現場の梁型枠２４において、隣り合う梁型枠２４が相互に直角になっていない場合、すなわち隣り合う梁型枠２４が鋭角または鈍角になっている場合、どちらかの梁型枠２４にデッキプレート１０の側部を合わせて敷き込んで行くと、図１０に示すように、エンドクローズ端部１４，１４が桟木２４ａに対して斜めになり、図１１に示すように、エンドクローズ端部１４，１４の釘孔２０が桟木２４ａから外れ、釘打ちできないか、図１２に示すように、釘打ちできたとしても、際どい位置に釘打ちすることになり、エンドクローズ端部１４，１４を桟木２４ａに確実に固定できないという問題があった。
【００１１】
また、桟木２４ａを縦にして使う場合や、桟木２４ａの幅が狭くなっている場合においては、桟木２４ａと釘孔２０とが重ならないか、桟木２４ａと釘孔２０とが重なっても、図１３に示すように、桟木の際どい位置に釘打ちすることになり、デッキプレート１０のエンドクローズ端部１４，１４を桟木２４ａに確実に固定できないことがあるという問題があった。
【００１２】
また、梁側におけるデッキプレートのエンドクローズ端部ののみ込み量が梁間隔の関係で、部分的にゼロとなる場合、図１４に示すように、デッキプレートのエンドクローズ端部の釘孔が桟木から外れ、釘打ちできないという問題があった。
【００１３】
また、釘孔２０がリブ１２と直交する線上に形成されているので、桟木２４ａの同一の木目に沿って複数本の釘を打ち込むことになり、桟木２４ａが木目に沿って割れ易くなり、桟木２４ａへデッキプレート１０を強固に固定できないという不安もあった。
【００１４】
更に、図１５に示すように、デッキプレート１０（１０ａ）の長手方向の桟木２４ａが傾斜している場合、桟木２４ａに役物デッキプレート１０ａまたは調整プレート１０ｂを確実に釘打ち固定できないという問題があった。
【００１５】
この発明は、上述したこれらの問題を解決するためになされたもので、梁型枠が完全な矩形になっていない場合や、桟木が狭幅の場合でも、梁型枠の桟木に釘で確実に固定できるようにしたデッキプレート、役物デッキプレート及び調整プレートを提供することを目的とする。
【００１６】
【課題を解決するための手段】
請求項１記載の発明は、鋼板を折曲加工し、該鋼板の一方の面側に所定間隔をおいて突出する複数条のリブと、該リブに隣接する各平坦部とを交互に形成させるとともに、最外の平坦部の側縁部を該鋼板の一方の面側に折曲加工して係合部を形成させ、該リブの両端部を潰して該複数の平坦部とともに一対の扁平なエンドクローズ端部を形成させ、該エンドクローズ端部の該各平坦部に釘孔を各一個ずつ列状に設けてなるデッキプレートにおいて、前記釘孔の列の全部又は一部を前記リブと平行な線に対して斜めに交差する線上に設けたことにより上記課題を解決した。
【００１７】
ここで、前記リブと平行な線に対して斜めに交差する線は１本の場合に限定されず、２本以上であってもよい。従って、前記釘孔の列の全部又は一部は、前記エンドクローズ端部上において交差し、かつ前記リブと平行な線に対して斜めに交差する２本の線上に、各々設けてもよい。
【００１８】
請求項３記載の発明は、鋼板を折曲加工し、該鋼板の一方の面側に所定間隔をおいて突出する複数条のリブと、該リブに隣接する平坦部とを交互に形成させ、該リブの両端部を潰して該平坦部とともに一対の扁平なエンドクローズ端部を形成させ、該エンドクローズ端部の該各平坦部に釘孔を各一個ずつ列状に設け、最外の平坦部に該平坦部の側縁に沿って複数個の釘孔を列状に設けてなる役物デッキプレートにおいて、前記最外の平坦部の釘孔の列の全部又は一部を前記リブと平行な線に対して斜めに交差する線上に設けたことにより上記課題を解決した。
【００１９】
ここで、前記最外の平坦部の釘孔の列の全部又は一部を、前記最外の平坦部において交差し、かつ前記リブと平行な線に対して斜めに交差する２本の線上に各々設けてもよい。もちろん、前記エンドクローズ端部の釘孔の列の全部又は一部を前記リブと平行な線に対して斜めに交差する線上に設けてもよいし、更に、前記エンドクローズ端部上において交差し、かつ前記リブと平行な線に対して斜めに交差する２本の線上に各々設けてもよい。
【００２０】
請求項８記載の発明は、平坦な鋼板からなり、一の側縁の近傍部に複数個の釘孔を該側縁に沿って所定間隔をおいて列状に設けてなる調整プレートにおいて、該釘孔の列の全部又は一部を該側縁と平行な線に対して斜めに交差する線上に設けたことにより上記課題を解決した。
【００２１】
ここで、前記釘孔の列の全部又は一部を、前記一方の側縁部の近傍において交差し、かつ前記側縁部と平行な線に対して斜めに交差する２本の線上に各々設けてもよい。
【００２２】
【作用】
請求項１〜９記載の発明によれば、傾斜している桟木にデッキプレートのエンドクローズ端部、役物デッキプレートのエンドクローズ端部、役物デッキプレートの側縁部または調整プレートの側縁部を載置した場合、これらに形成されている釘孔のうちで２個以上の釘孔が桟木と重なり易い。
【００２３】
また、請求項１〜９記載の発明によれば、桟木が狭幅の場合でも、デッキプレートのエンドクローズ端部、役物デッキプレートのエンドクローズ端部、役物デッキプレートの側縁部または調整プレートの側縁部を載置すれば、２個以上の釘孔が桟木と重なり易い。
【００２４】
請求項２，４，６及び９記載の発明によれば、釘孔を結ぶ線と重なり得る桟木の傾斜角度が２通り存在するので、桟木と釘孔とが重なる可能性が高くなる。
【００２５】
【実施例】
図１はこの発明に係るデッキプレートの第一実施例の要部平面図である。同図に示すように、デッキプレート１０は、鋼板を折曲加工して一方の面側（同図では裏側）に所定間隔をおいて突出形成させた複数条の略平行なリブ１２と、リブ１２と略直角の関係になっている端縁Ｅａ，Ｅｂの近傍のリブ１２の両端部を潰して形成させた一対の扁平なエンドクローズ端部１４，１４とを備えている。
【００２６】
リブ１２は断面略三角形となっており、従来技術で説明したデッキプレートと同様、頂部は開き留めのためカシメにより連結され、底辺部には水抜きのための孔（図示せず）が所定間隔をおいて形成されている。
【００２７】
エンドクローズ端部１４には３個の釘孔２０が所定間隔をおいて形成されている。この３個の釘孔２０のうちで、中央の釘孔２０は両側の釘孔２０より端縁Ｅａ，Ｅｂからやや離れて形成されている。この例において、中央の釘孔２０は端縁Ｅａ，Ｅｂから４５ｍｍ離れ、両側の釘孔２０は端縁Ｅａ，Ｅｂから３５ｍｍ離れているが、この数値は予測される桟木２４ａの傾斜により適宜変更してもよい。
【００２８】
リブ１２とリブ１２の間には平坦部１６ａが形成され、リブ１２と一方の側縁Ｅｃとの間には平坦部１６ｂが形成されている。リブ１２と他方の側縁Ｅｄとの間には狭い平坦部１６ｃが形成されている。平坦部１６ａ，１６ｂには滑り止めのために複数本のエンボス（図示せず）がリブ１２に対して略直角に形成されている。
【００２９】
平坦部１６ｂの側縁Ｅｃは鋼板の一方の面側（同図の下側）に向けて略直角に折り曲げられて係合部（図示せず）が形成されている。係合部はエンドクローズ端部１４のところで切り欠かれている。リブ１２と他方の側縁Ｅｄとの間の平坦部１６ｃは平坦なままになっている。
【００３０】
このデッキプレート１０のエンドクローズ端部１４，１４を傾斜している桟木２４ａの上に載置すると、同図に破線で示すように、桟木２４ａが少なくとも２個の釘孔２０と重なるので、桟木２４ａと重なっている釘孔２０に釘２６を打ち込めば、桟木２４ａにデッキプレート１０を確実に固定することができる。
【００３１】
また、桟木２４ａを縦に使用した場合のように、桟木２４ａが狭幅になっている場合、このデッキプレート１０のエンドクローズ端部１４，１４を桟木２４ａの上に載置すると、図２に示すように、釘孔２０のいずれか（図１では両側の釘孔２０）が桟木２４ａに重なるので、桟木２４ａと重なっている釘孔２０に釘２６を打ち込めば、桟木２４ａにデッキプレート１０を確実に固定することができる。
【００３２】
図３はこの発明に係るデッキプレートの第二実施例の要部平面図である。このデッキプレート１０の基本的な構成は上述した第一実施例と同様であるが、釘孔２０の位置が逆になっている。すなわち、３個の釘孔２０のうちで、両側の釘孔２０は中央の釘孔２０より端縁Ｅａ，Ｅｂからやや離れて形成されている。
【００３３】
この場合も、このデッキプレート１０のエンドクローズ端部１４，１４を傾斜している桟木２４ａの上に載置すると、同図に破線で示すように、桟木２４ａが少なくとも２個の釘孔２０と重なるので、桟木２４ａと重なっている釘孔２０に釘２６を打ち込めば、桟木２４ａにデッキプレート１０を確実に固定することができる。
【００３４】
図４はこの発明に係る役物デッキプレートの一実施例の平面図である。役物デッキプレート１０ａの側縁部は桟木２４ａに釘打ちで固定するので、同図に示すように、側縁Ｅｃの近傍には複数個の釘孔２０が設けられている。そして、この釘孔２０は、リブ（図示せず）と平行な線に対して斜めに交差する線上に設けられている。
【００３５】
なお、この役物デッキプレート１０ａの場合、エンドクローズ端部１４，１４の釘孔（図示せず）は、従来の技術において説明したデッキプレート１０のようにして端縁Ｅａ，Ｅｂから同じ距離に設けてもよいし、上述した第一実施例または第二実施例のデッキプレート１０のようにジグザグに設けてもよい。
【００３６】
図５はこの発明に係る調整プレートの一実施例の平面図である。調整プレート１０ｃの側縁部は桟木に釘打ちで固定するので、同図に示すように、側縁Ｅｄと平行な線に対して斜めに交差する線上に複数個の釘孔２０が設けられている。
【００３７】
【発明の効果】
請求項１〜９記載の発明によれば、桟木が斜めになっている場合であっても、２個以上の釘孔が桟木と重なるので、デッキプレート、役物デッキプレートまたは調整プレートを桟木に釘で確実に固定することができるという効果がある。
【００３８】
また、請求項１〜９記載の発明によれば、桟木が狭幅の場合でも、２個以上の釘孔が桟木と重なるので、デッキプレート、役物デッキプレートまたは調整プレートを桟木に釘で固定することができるという効果がある。
【００３９】
請求項２，５，６及び９記載の発明によれば、釘孔を結ぶ線と重なる桟木の傾斜角度が２通り存在するので、桟木と釘孔とが重なり易くなり、デッキプレート、役物デッキプレートまたは調整プレートを桟木に釘で固定し易くなるという効果がある。
【図面の簡単な説明】
【図１】図１はこの発明に係るデッキプレートの第一実施例の要部平面図である。
【図２】図２は狭幅の桟木を使用した場合の桟木とこの発明に係るデッキプレートとの関係を示
す説明図である。
【図３】図３はこの発明に係るデッキプレートの第二実施例の要部平面図である。
【図４】図４はこの発明に係る役物デッキプレートの一実施例の平面図である。
【図５】図５はこの発明に係る調整プレートの一実施例の平面図である。
【図６】図６は従来のデッキプレートの一例の斜視図である。
【図７】図７は図６のＡ−Ａ矢視端面図である。
【図８】図８は図６のデッキプレートのエンドクローズ端部近傍の部分平面図である。
【図９】図９はデッキプレートの敷き込み状態を示す部分斜視図である。
【図１０】図１０は桟木が斜めになっている場合のデッキプレートの部分平面図である。
【図１１】図１１は図１０のＢ−Ｂ矢視断面図である。
【図１２】図１２は図１０のＣ−Ｃ矢視断面図である。
【図１３】図１３は桟木が狭幅の場合の桟木とデッキプレートとの関係を示す説明図である。
【図１４】図１４はエンドクローズ端部ののみ込み量がゼロの場合の桟木とデッキプレートとの関
係を示す説明図である。
【図１５】図１５はデッキプレートの長手方向の桟木が斜めの場合の桟木と役物デッキプレート及
び桟木と調整プレートとの関係を示す平面図である。
【符号の説明】
１０  デッキプレート
１２  リブ
１４  エンドクローズ端部
１６ａ，１６ｂ，１６ｃ  平坦部
１８  エンボス
２０  釘孔
２２  係合部
２４  梁型枠
２４ａ  桟木
２６  釘
Ｅａ，Ｅｂ  端縁
Ｅｃ，Ｅｄ  側縁
【図１】
0003570560.tif 000002
【図２】
0003570560.tif 000003
【図３】
0003570560.tif 000004
【図４】
0003570560.tif 000005
【図５】
0003570560.tif 000006
【図６】
0003570560.tif 000007
【図７】
0003570560.tif 000008
【図８】
0003570560.tif 000009
【図９】
0003570560.tif 000010
【図１０】
0003570560.tif 000011
【図１１】
0003570560.tif 000012
【図１２】
0003570560.tif 000013
【図１３】
0003570560.tif 000014
【図１４】
0003570560.tif 000015
【図１５】
0003570560.tif 000016